(57)【要約】      （修正有）【課題】様々な調理方法に容易に適用できる調理器具セットを提供する。【解決手段】第一の調理器具と第二の調理器具を備える調理用器具セットであって、第一の調理器具は、外鍋１００と、外鍋蓋１１０からなる。外鍋は、外鍋底１５０と、外鍋底から上方に延びる外鍋側壁と、外鍋側壁と連接する外鍋支持部と、外鍋蓋を受ける外鍋蓋受けフランジ１８０とを有しており、外鍋蓋は、その外周部に外鍋蓋フランジ１３０を有しており、外鍋蓋受けフランジによって、外鍋蓋フランジを支持するように構成され、第二の調理器具は、内鍋２００と、内鍋蓋からなる。内鍋は、内鍋底と、内鍋底から上方に延びる内鍋側壁と、内鍋側壁と連接して内鍋フランジと、切欠きとを有するとともに、スリットを備えた内鍋把手２７０を有し、内鍋蓋は、その外周部に内蓋フランジと、内鍋蓋フランジの近傍に煮汁排出部を有するとともに、内鍋蓋外周部に二以上の引掛りを有し、引掛りが、引掛りの配置場所に位置する内鍋フランジの部分を収容する。【選択図】図１２
0003217013.tif 000002
【実用新案登録請求の範囲】
【請求項１】
第一の調理器具と第二の調理器具を備える調理用器具セットであって、
前記第一の調理器具は、第一の鍋と、第一の鍋蓋からなり、
前記第一の鍋は、第一の鍋底と、前記第一の鍋底から上方に延びる第一の鍋側壁と、前記第一の鍋側壁と連接する第一の鍋支持部と、前記第一の鍋蓋を受ける第一の鍋蓋受けフランジとを有しており、前記第一の鍋蓋は、その外周部に第一の鍋蓋フランジを有しており、前記第一の鍋蓋受けフランジによって、前記第一の鍋蓋フランジを支持するように構成され、
前記第二の調理器具は、第二の鍋と、第二の鍋蓋からなり、
前記第二の鍋は、第二の鍋底と、前記第二の鍋底から上方に延びる第二の鍋側壁と、前記第二の鍋側壁と連接して第二の鍋フランジと、切欠きとを有するとともに、スリットを備えた第二の鍋把手を有し、前記第二の鍋蓋は、その外周部に第二の鍋蓋フランジと、前記第二の鍋蓋フランジの近傍に煮汁排出部を有するとともに、前記第二の鍋蓋外周部に二以上の引掛りを有し、前記引掛りが、前記引掛りの配置場所に位置する第二の鍋フランジの部分を収容する構造をとることを特徴とする、
調理用器具セット。
【請求項２】
前記第二の鍋蓋は、前記第二の鍋蓋フランジから下方にある凸部に向かって前記凸部と前記第二の鍋蓋フランジとを連接する部分を有し、前記凸部と前記第二の鍋蓋フランジを連接する部分が、前記第二の鍋側壁の内面と近接又は接触して配置されるように構成されていることを特徴とする請求項１に記載の調理用器具セット。
【請求項３】
前記第二の鍋は前記一の鍋に挿入して蒸し器として使用する際は、前記第一の鍋支持部によって、前記第二の鍋の把手を支持することにより、前記第一の鍋は前記第二の鍋を係止し、
前記第一の鍋底の内面と、前記第二の鍋底の外面により形成された空間において、前記第一の鍋底を加熱することにより蒸気を発生し、前記発生した蒸気を前記第一の鍋側壁の内面と前記第二の鍋側壁の外面により形成された空間を通り、前記第一の鍋側壁の内面と前記第二の鍋フランジの端部で形成するクリアランスを通過して、前記第二の鍋の内側へ到達することを特徴とする、請求項１又は２に記載の調理用器具セット。
【請求項４】
前記第二の鍋フランジに、対向する一対の切欠きを有するとともに、前記第二の鍋蓋外周部に、対向する一対の引掛りが設けられていることを特徴とする請求項1〜３のいずれかに記載の調理用器具セット。
【請求項５】
隣り合う前記切欠きと前記第二の鍋把手間の距離が実質的に等しいことを特徴とする請求項４に記載の調理用器具セット。
【請求項６】
前記煮汁排出部が複数の穴よりなることを特徴とする請求項１〜４のいずれかに記載の調理器具セット。
【考案の詳細な説明】
【技術分野】
【０００１】
本考案は、調理用器具セットに関する。
【背景技術】
【０００２】
料理に関して消費者の嗜好が広がったために、その嗜好に合わせた様々な調理方法が紹介されている。例えば、炊飯時に、煮汁を一端廃棄し、煮汁を除いたお米を蒸して炊き上げるような方法が、糖質を減少させるという点で注目を受けている。このような調理方法に使えるものとして、内側容器と外側容器を備えるような蒸し器が開示されている（特許文献１）。
しかしながら、このような調理方法に対しても容易に適用可能であって、他の用途にも使えるような調理用器具セットが望まれている。
【先行技術文献】
【特許文献】
【０００３】
【特許文献１】特開平０５−０２３２４９号公報
【考案の概要】
【考案が解決しようとする課題】
【０００４】
様々な調理方法に容易に適用できる調理器具セットが望まれている。
【課題を解決するための手段】
【０００５】
上記課題を解決するため、一つの態様として、
第一の調理器具と第二の調理器具を備える調理用器具セットであって、
前記第一の調理器具は、第一の鍋と、第一の鍋蓋からなり、
前記第一の鍋は、第一の鍋底と、前記第一の鍋底から上方に延びる第一の鍋側壁と、前記第一の鍋側壁と連接する第一の鍋支持部と、前記第一の鍋蓋を受ける第一の鍋蓋受けフランジとを有しており、前記第一の鍋蓋は、その外周部に第一の鍋蓋フランジを有しており、前記第一の鍋蓋受けフランジによって、前記第一の鍋蓋フランジを支持するように構成され、
前記第二の調理器具は、第二の鍋と、第二の鍋蓋からなり、
前記第二の鍋は、第二の鍋底と、前記第二の鍋底から上方に延びる第二の鍋側壁と、前記第二の鍋側壁と連接して第二の鍋フランジと、切欠きとを有するとともに、スリットを備えた第二の鍋把手を有し、前記第二の鍋蓋は、その外周部に第二の鍋蓋フランジと、前記第二の鍋蓋フランジの近傍に煮汁排出部を有するとともに、前記第二の鍋蓋外周部に二以上の引掛りを有し、前記引掛りが、前記引掛りの配置場所に位置する第二の鍋フランジの部分を収容する構造をとる調理用器具セットが提案される。
好ましい形態の一つとして、前記第二の鍋蓋は、前記第二の鍋蓋フランジから下方にある凸部に向かって前記凸部と前記第二の鍋蓋フランジとを連接する部分を有し、前記凸部と前記第二の鍋蓋フランジを連接する部分が、前記第二の鍋側壁の内面と近接又は接触して配置されるように構成されている調理用器具セットが提案される。
【０００６】
また、好ましい態様として、
前記第二の鍋は前記一の鍋に挿入して蒸し器として使用する際は、前記第一の鍋支持部によって、前記第二の鍋の把手を支持することにより、前記第一の鍋は前記第二の鍋を係止し、前記第一の鍋底の内面と、前記第二の鍋底の外面により形成された空間において、前記第一の鍋底を加熱することにより蒸気を発生し、前記発生した蒸気を前記第一の鍋側壁の内面と前記第二の鍋側壁の外面により形成された空間を通り、前記第一の鍋側壁の内面と前記第二の鍋フランジの端部で形成するクリアランスを通過して、前記第二の鍋の内側へ到達するような調理器具セットが提案される。
更に、好ましくは、前記第二の鍋フランジに、対向する一対の切欠きを有するとともに、前記第二の鍋蓋外周部に、対向する一対の引掛りが設けられ、隣り合う前記切欠きと前記第二の鍋把手間の距離が実質的に等しくし、前記煮汁排出部が複数の穴よりなるような調理器具セットが提案される。
【考案の効果】
【０００７】
様々な調理方法に適用することができる調理器具セットを提供することができる。
【図面の簡単な説明】
【０００８】
【図１】調理器具セットの一部となる外鍋の側面図である。
【図２】調理器具セットの一部となる外鍋の上面図である。
【図３】調理器具セットの一部となる外鍋蓋の側面図である。
【図４】調理器具セットの一部となる外鍋蓋の上面図である。
【図５】調理器具セットの一部となる内鍋の側面図である。
【図６】調理器具セットの一部となる内鍋の上面図である。
【図７】調理器具セットの一部となる内鍋蓋の側面図である。
【図８】調理器具セットの一部となる内鍋蓋の上面図である。
【図９】調理器具セットの一部となる内鍋蓋の断面図である。
【図１０】調理器具セットの一部となる内鍋と内鍋蓋の係合を説明する図である。
【図１１】内鍋蓋と内鍋蓋の近接又は接触した状態の詳細を説明する図である。
【図１２】調理器具セットの使用例を説明する断面図である。
【図１３】調理器具セットの使用例を説明する上面図である。
【図１４】調理器具セットの一部である内鍋を取り出すための取出し把手を説明する図である。
【考案を実施するための形態】
【０００９】
以下、添付した図面を参照しながら、本考案の実施形態を説明する。本考案は、以下の実施形態に限定されない。なお、図面の説明において同一の要素には同一の符号を付し、重複する説明を省略する。また、図面の寸法比率は、説明の都合上誇張されており、実際の比率とは異なる場合がある。
以下、本考案の実施形態において、調理器具について説明の便宜上以下のように使用する。「第一の鍋」或いは「第一の鍋蓋」及びこれらに付属する部品或いは部分の名称については、「外鍋」或いは「外鍋蓋」及びこれらに付属する部品或いは部分の名称について適宜使用する。
他方、「第二の鍋」或いは「第二の鍋蓋」及びこれらに付属する部品或いは部分の名称については、「内鍋」或いは「内鍋蓋」及びこれらに付属する部品或いは部分の名称について適宜使用する。
【００１０】
図１は、外鍋１００の側面図である。外鍋１００は、下方Ｂに位置する外鍋底１５０から外底側面連接部１５５を介して上方Ｕへと延びる外鍋側壁１６０と、更に、外鍋側壁１６０に連接して、内鍋支持部１７０と外鍋蓋受けフランジ１８０及び外鍋上端部１９０を有している。内鍋支持部１７０と外鍋蓋受けフランジ１８０は内外連接部１７５で連接されている。また、外鍋蓋受けフランジ１８０と外鍋上端部１９０は、外外連接部１８５で連接されている。
図２は、外鍋１００の上面図である。
【００１１】
図３は、外鍋１００に用いられる外鍋蓋１１０を表しており、外鍋蓋つまみ１２０を有し、外鍋蓋１１０の外周部に外鍋蓋フランジ１３０を有している。
図４は、外鍋蓋１１０の上面図である。
【００１２】
外鍋１００及び外鍋蓋１１０は、単独で調理器具として使用することができる。外鍋１００の説明においては、外鍋１００に把手を図示していないが、これを備えることも可能である。また、外鍋蓋１１０には、吹きこぼれ等を防止するために外鍋内部から外鍋外部へ蒸気を逃がす蒸気穴を設けてもよい。
【００１３】
図５においては、一体として使用する際に内側に配置される調理器具の例として、調理鍋としての内鍋２００を表している。内鍋２００は、下方Ｂに位置する内鍋底２５０から内底側面連接部２５５を介して上方Ｕに延びる内鍋側壁２６０と、を有している。更に内鍋側壁２６０の上方Ｕには、内鍋フランジ２３０、切欠き２３１を有するとともに、スリット２７１を備えた内鍋把手２７０が設けられている。なお、内側フランジ２３０の厚みはＴである。Ｔの例であるが、０.５〜３ｍｍ程度であるが、これに限定されない。
図６は、内鍋２００の上面図である。内鍋２００の上方周囲に設けられる内鍋フランジ２３０の一部に、切欠き２３１が対となって設けられている。切欠き２３１は、内鍋フランジ２３０の周辺部に、対向する位置に設けられている。さらに一対の内鍋把手２７０もまた、内鍋フランジ２３０の周辺部に、対向する位置に設けられている。これらの位置関係は、隣り合う切欠きと内鍋把手間の距離が実質的に等しく、四等配にあるものといえる。一対の切欠き２３１間の距離はＤであり、対向する内鍋フランジ端２３２間の距離はＲである。
【００１４】
図７は、内鍋２００に用いられる内鍋蓋２１０の側面図を表しており、内鍋蓋つまみ２２０を有し、内鍋蓋２１０の外周部に内鍋蓋フランジ２８０を有するとともに引掛り２４０を有している。また、内側鍋つまみ２２０の反対側で、内鍋蓋フランジ２８０の内側に内鍋蓋周辺部に形成された凸部２９０を備え、凸部２９０と上方に向かう凸連接部２９１を介して連接して内鍋蓋フランジ２８０又は引掛り２４０が設けられている。凸部２９０及び凸連接部２９１は、内鍋側壁２６０の内鍋側壁内面２６３上方に近接又は接触するように配置される部分である。引掛り２４０の幅はｗであり、高さはｈである。
図８は、内鍋蓋２１０の上面図である。内鍋蓋フランジ２３０の近傍に複数の穴からなる、煮汁排出部２１５が設けられている。一対の引掛り２４０は、内鍋蓋２１０の略中心を通るＹ軸上であって、内鍋蓋２１０の周辺部に対向して二箇所に設けられている。煮汁排出部２１５の位置は、内鍋蓋つまみ２２０のある上方から見て、内鍋蓋２１０の中心を原点とし一対の引掛り２４０を結ぶＹ軸と、これと直交する直線をＸ軸とした際に形成される第一、第二、第三、第四象限の内の一つに設けるのが一つの目安となる。本例は、第二象限に煮汁排出部２１５を設けたものである。また、本例では、引掛り２４０を二箇所に設けるとしたが、二を越える箇所に設けてもよい。
【００１５】
図７、図９中の拡大図を用いて、引掛り２４０を詳細に説明する。内鍋蓋２００周辺部より、Ｘ方向に所定の幅ｗで、Ｚ方向に高さｈだけ延長し、Ｙ方向に所定の長さＬだけ延長し、所謂「コ」の字型を形成している。
一例として、ｗは、５〜２０ｍｍ、ｈは２〜８ｍｍ、Ｌは２〜８ｍｍを例示できるが、これに限定されない。
【００１６】
図６、図９、図１０を用いて、内鍋２００と内鍋蓋２１０の係止を説明する。なお、図１０において、説明の都合上内鍋蓋２１０を点線であらわしている。
図１０の（Ａ）にあるように、この一対の切欠き２３１に、一対の引掛り２４０を位置合わせし、内鍋蓋つまみ２２０を略中心として内鍋蓋２１０を矢印方向（時計回り）に回転することにより、図１０の（Ｂ）のように、引掛り２４０と、回転後の引掛り２４０の位置に相当する内鍋フランジ２３０が係合することを意図している。
すなわち、前記一対の引掛り２４０を切欠き２３１のある部分に設置するには、一対の切り欠き間の距離Ｄに対して、一対の引掛り２４０のＹ方向の引掛り先端２４１間の距離Ｇが大であることを必要とする。
引き続き、内鍋蓋つまみ２２０を略中心として、時計回りに回転させる際に、引掛り２４０が内鍋フランジ２３０沿いに回転させるためには、一対の引掛り２４０の引掛り内側壁面２４２間の距離Ｊが、対向する内鍋フランジ端２３２間の距離Ｒより大であることが必要である。
更に、内鍋フランジ２３０と内鍋蓋２２０を引掛り２４０で係止するには、一対の引掛り２４０のＹ方向の引掛り先端２４１間の距離Ｇが、対向する内鍋フランジ端２３２間の距離Ｒよりも小であること条件となる。
なお、前記「コ」の字部分のＺ方向の距離Ｈが、内鍋フランジ２３０の厚みＴよりも大であることを要するは言うまでもない。
【００１７】
上記説明は、内鍋２００、内鍋フランジ２３０が同心円状に形成され、内鍋蓋２１０も円形に形成されていることを念頭に行ったが、内鍋２００、内鍋蓋の形状を変更したとしても当該関係を満たすように製造することは当業者にとって自明であり、本考案の範囲内である。更に、引掛り２４０の形状についても、「コ」の字形状に限らず他の形態も可能である。
【００１８】
図１０においては、図８で説明したように煮汁排出部２１５の位置を、内鍋蓋つまみ２２０のある上方から見て、内鍋蓋２１０の中心を原点とし一対の引掛り２４０を結ぶＹ軸と、これと直交する直線をＸ軸とした際に形成される第二象限に設けた例を示している。この例によると、内鍋蓋２１０を時計回りに回転して内鍋２００に係止することにより、煮汁排出部２１５の位置が一対の内鍋把手２７０の真ん中に位置させることができる。このような配置では、両手で内鍋把手２７０をつかんで茹で汁を除くことに容易な位置取りとなる。
【００１９】
図１１を用いて、内鍋フランジ２３０及び内鍋側壁２６０と、引掛り２４０の嵌合状態を説明する。引掛り２４０は、引掛り２４０の配置場所に位置する内鍋フランジ２３０の部分を収容し、更に凸部２９０と、凸部から上方Ｕへ向かう凸連接部２９１が、内鍋側壁内面２６３と近接或いは接触するように配置され、嵌合に近い状態となり、内鍋蓋２１０と内鍋２００の係合を安定させる。
【００２０】
外鍋２００及び外鍋蓋２１０は、単独で調理器具として使用することができる。特に、食物を内鍋２００の内部において水等で茹でて、その茹で汁を除くような調理方法を採用する際に、好ましい構成を有している。食物を茹でた後に、図１０で説明したように、内鍋蓋２１０を内鍋２００に係止し、内鍋２００を傾けて内鍋蓋２１０の有する煮汁排出部２１５を介して、容易に、安全に茹で汁を除くことが可能となる。
【００２１】
図１２を用いて、外鍋１００内側に内鍋２００を挿入し、外鍋蓋１１０を用いて、蒸し器として使用する一形態について断面図を用いて説明をする。内鍋支持部１７０において、内鍋把手２７０を支持し、係止する構造となっている。外鍋側壁１６０の外鍋側壁内面１６１と内鍋側壁２６０の内鍋側壁外面２６２の間に、側面空洞３０が形成される。外鍋蓋フランジ１３０と外鍋蓋受けフランジ１８０により、調理器具セット内部７０と調理器具セット外部８０の気密性が保持される。また、外鍋底１５０の外鍋底内面１５１と内鍋底２５０の内鍋底外面２５２に底面空洞４０が形成される。
蒸し器の実施形態として調理器具セットを使用する場合は、底面空洞４０に水が配され、外鍋底１５０が加熱されることにより蒸気５０が発生して、側面空洞３０を通路として上方Ｕへと蒸気５０が移動し、外鍋側壁１６０と、内鍋フランジ２３０の形成するクリアランス６０を通過し、内鍋内２０１へ導かれる。このようにして、内鍋内２０１にある食品を蒸すことができる。
なお、外鍋側壁内面１６１の所定の目盛りを付しておき、蒸し器として使用する際の蒸気発生のための水の入れ目量を示すことも好ましい。
【００２２】
図１３は、外鍋１００内側に内鍋２００を挿入した状態での上面図である。
内鍋２００を内鍋把手２７０にて外鍋１００に係止する構造をとっている。このような構造とすると、外鍋側壁内面１６１と、内鍋フランジ２３０の内鍋フランジ端２３２の形成するクリアランス６０を十分に確保することができることに加え、内鍋フランジ２３０の一部に形成した一対の切欠き２３１も蒸気の通過する通路をより大にしているという効果がある。
また、内鍋把手２７０にスリット２７１を設けている場合、スリット２７１が、外鍋側壁１６０と、内鍋フランジ２３０の形成するクリアランス６０と重なり合うと、蒸気の通路となるために更に好ましいものとなる。
【００２３】
上記のように、本考案に係る調理器具セットを蒸し器として使用した場合に、内鍋２００を外鍋１００から取り外すために冶具があると便利である。内鍋２００が熱いうちに取り出せれば、出来立ての食物を供することができるからである。
図１４に、内鍋２００を取り出すための取出し把手３００を例示として挙げた。取出し把手先端部３０１を、内鍋把手２７０のスリット２７１の差し込み、取出し把手持ち手部３０２を握って、内鍋２００を持ち上げることができる。
【００２４】
本願の好ましい実施形態の利用方法として、以下のような調理方法が挙げられる。
米と水を、内鍋２００に入れて内鍋蓋２１０をして加熱する。沸騰してから煮汁を除く。このようにして得られた、煮汁が除かれた調理途中の米を有する内側鍋２００を外側鍋１００に挿入して、煮汁の除かれた調理途中の米を引き続き、内鍋ごと蒸すことにより調理を完成させる。
このような調理方法においては、内鍋２００と内鍋蓋２１０を利用して、煮るという調理を行い、煮汁を除く際は、内鍋２００と内鍋蓋２１０を係止させて容易に安全に煮汁を除くことができる。更に、内鍋２００をそのまま外鍋１００に挿入して蒸し器として使用できるため、食物を移し替えるなどの手間を省くことができるという効果がある。
【００２５】
このようにして得られた炊飯物は、米自体がポリフェノール等の影響で雑味を有するような場合は、これを煮汁とともに除き雑味の少ない炊飯物とすることができる。
また、他の効果としては、煮汁には米から出る糖分が溶け出すために、炊いたのちに煮汁を除き、蒸して炊飯物とすることによって、含有する糖分を減少したものとすることができる。また、このような炊飯物は、保存性にも優れる。
【００２６】
以下、本願実施の形態における第一又は第二の鍋、鍋蓋等の寸法について以下に例示するが、本願考案はこれらに限定されるものではない。
【００２７】
第一の鍋１００の高さ（図１における外鍋底１５０から外鍋上端部１９０まで）は、１３０ｍｍが一つの例である。１００ｍｍ以上程度とするのがよい。
また、図５において、第二の鍋２００の高さ（内鍋底２５０から内鍋フランジ２３０まで）は、９０ｍｍとするのが一つの例である。７０ｍｍ以上程度とするのがよい。
第二の鍋（２００）は、第一の鍋（１００）に挿入して使用することが予定されるため、第二の鍋の高さは、第一の鍋の高さよりも小とする。
【００２８】
第一の鍋１００の幅（図２において、同心円状の外鍋上端部１９０の直径）については、２３７ｍｍとするのが、一つの例である。１５０ｍｍ以上程度とするのがよい。
第二の鍋２００の幅（図６において、Ｒとされている寸法）は、１８２ｍｍとするのが一つの例である。１００ｍｍ以上程度とするのがよい。
【００２９】
第一の鍋蓋１１０の外径は、２３３ｍｍとするのが、一例である。第二の鍋蓋２１０の外径は、１８４ｍｍとするのが一例である。これらは、第一の鍋１００及び第二の鍋２１０の寸法により適宜設定される。
【００３０】
第一の鍋１００、第一の鍋２００は、例えばステンレスを用いて作成されるが、特にこれに限定されず、アルミニウムその他の金属等を使用してもよい。同様に、第一に鍋蓋１１０、第二の鍋蓋２１０も同様に、ステンレス等の金属、ガラス等が用いられる。その他、第一の鍋蓋つまみ１２０、第二の鍋蓋つまみ２２０は、金属、プラスチック等適宜選択される。
尚、第一の鍋底１５０、第二の鍋底２５０は、ＩＨヒーター対応として、所望の鍋底とするのも好ましい構成である。
【００３１】
以上本考案を適用した実施形態を説明したが、本考案はこれら実施形態に限定されるものではない。本考案は実用新案登録請求の範囲に記載された構成に基づき様々な改変が可能であり、それらについても本考案の範疇である。
【符号の説明】
【００３２】
３０  側面空洞
４０  底面空洞
５０  蒸気
６０  クリアランス
７０  調理器具セット内部
８０  調理器具セット外部
１００  外鍋
１１０  外鍋蓋
１２０  外鍋蓋つまみ
１３０  外鍋蓋フランジ
１５０  外鍋底
１５１  外鍋底内面
１５５  外底側面連接部
１６０  外鍋側壁
１６１  外鍋側壁内面
１７０  内鍋支持部
１７５  内外連接部
１８０  外鍋蓋受けフランジ
１８５  外外連接部
１９０  外鍋上端部
２００  内鍋
２０１  内鍋内
２１０  内鍋蓋
２１５  煮汁排出部
２２０  内鍋蓋つまみ
２３０  内鍋フランジ
２３１  切欠き
２３２  内鍋フランジ端
２４０  引掛り
２４１  引掛り先端
２４２  引掛り内側壁面
２５０  内鍋底
２５２  内鍋底外面
２５５  内底側面連接部
２６０  内鍋側壁
２６２  内鍋側壁外面
２６３  内鍋側壁内面
２７０  内鍋把手
２７１  スリット
２８０  内鍋蓋フランジ
２９０  凸部
２９１  凸連接部
３００  取出し把手
３０１  取出し把手先端部
３０２  取出し把手持ち手部
【図１】
0003217013.tif 000003
【図２】
0003217013.tif 000004
【図３】
0003217013.tif 000005
【図４】
0003217013.tif 000006
【図５】
0003217013.tif 000007
【図６】
0003217013.tif 000008
【図７】
0003217013.tif 000009
【図８】
0003217013.tif 000010
【図９】
0003217013.tif 000011
【図１０】
0003217013.tif 000012
【図１１】
0003217013.tif 000013
【図１２】
0003217013.tif 000014
【図１３】
0003217013.tif 000015
【図１４】
0003217013.tif 000016